(57)【要約】  【課題】  フックハンドルの回動を阻止するロックが外れにくく、操作性に優れた可搬式工具用フックを提供する。  【解決手段】  本体胴体部１ａとグリップ部１ｂが一体に形成されてなるハウジング１を有する可搬式工具のハウジング１に設けられる可搬式工具用フックであって、フックハンドル２と、前記ハウジング１に設けられたフック収納部３と、該フック収納部３の端面に前記フックハンドル２を連結する部分が設けられた連結部４と、該フックハンドル２の回動を所定の角度で保持、又は解除する規制部５とから構成し、前記フックハンドル２を前記連結部４を介してフック収納部３に回動可能に包持した。  【選択図】  図１
2005040931.tif 000002
【特許請求の範囲】
【請求項１】
本体胴体部とグリップ部が一体に形成されてなるハウジングを有する可搬式工具の該ハウジングに設けられる可搬式工具用フックであって、フックハンドルと、前記ハウジングに設けられたフック収納部と、該フック収納部の端面に前記フックハンドルを連結する部分が設けられた連結部と、該フックハンドルの回動を所定の角度で保持、又は解除する規制部とから構成し、前記フックハンドルを前記連結部を介してフック収納部に回動可能に包持したことを特徴とする可搬式工具用フック。
【請求項２】
前記規制部は、前記フックハンドル又は前記フック収納部に配設される操作子と、該操作子の移動に伴って、他方に係合する、もしくは離間させる係合片と、他方に該係合片が係合される被係合部を備える請求項１に記載の可搬式工具用フック。
【請求項３】
前記操作子と前記係合片とは一体的に構成されると共に、前記係合片を前記被係合部方向に付勢する弾性部材を設けた請求項１又は２に記載の可搬式工具用フック。
【請求項４】
前記連結部は、前記収納部の両端面に形成した請求項１ないし３に記載の可搬式工具用フック。
【請求項５】
前記連結部にハンドル回動範囲規制部を形成した請求項１ないし４に記載の可搬式工具用フック。
【発明の詳細な説明】
【技術分野】
【０００１】
本発明は、可搬式工具用フックに関し、さらに詳しくは、作業者の腰ベルト等に可搬式工具を掛け止め可能に構成したフック部を有する可搬式工具用フックに関するものである。
【背景技術】
【０００２】
従来より電動工具では、作業者の腰ベルト等に係止させるためのフック部が設けられている。このフック部では電動工具から突出した状態で腰ベルトに固定配置されていると、作業者が作業中にフック部が周囲の部材等に接触して、作業のじゃまになったり、腰ベルトから電動工具が外れ落ちてしまうことになった。
【０００３】
そこで、フック部の工具本体に対し位置を可変で容易に固定できるようにする等の操作性に優れた電動工具として、例えば、特開２００２−２５４３５８号公報に開示されているものがある。この特開２００２−２５４３５８号公報に開示されている電動工具のフックは、ハウジングに設けたハンドルと、ハウジングに設けた係合歯を有するフック保持部と、該フック保持部内に挿入され且つ前記係合歯に噛合する前記嵌合歯の設けられた軸部を有し、フックを前記ハンドル部側に常に付勢する弾性体と、該弾性体に抗して前記フックを軸方向に移動し前記噛合を解除することにより回動可能な前記フックの抜け止め保持部とから構成されるフック部を設けている。
【０００４】
しかし、特開２００２−２５４３５８号公報に開示されている電動工具のフックは、長手方向に引張ると、フック収納部の噛合が簡単に外れ、噛合が解除されて自由に回転できるようになる。したがって、作業者が意図しないにもかかわらず、フックの長手方向に何らかの力がかかった場合、噛合が解除され、抜け落ちるおそれがあった。
【特許文献１】特開２００２−２５４３５８号公報
【発明の開示】
【発明が解決しようとする課題】
【０００５】
本願発明は、このような事情に鑑みてなされたものであり、フックハンドルの回動を阻止するロックが外れにくく、操作性に優れた可搬式工具用フックを提供することを目的としている。
【課題を解決するための手段】
【０００６】
上記課題を解決するため、本願の可搬式工具用フックは、駆動モータ等を収容する本体胴体部とグリップ部が一体に形成されてなるハウジングを有する可搬式工具の該ハウジングに設けられる可搬式工具用フックであって、フックハンドルと、前記ハウジングに設けられたフック収納部と、該フック収納部の端面に前記フックハンドルを連結する部分が設けられた連結部と、該フックハンドルの回動を所定の角度で保持、又は解除する規制部とから構成し、前記フックハンドルを前記連結部を介してフック収納部に回動可能に包持して形成している。
【０００７】
本発明の請求項２に係る可搬式工具用フックは、請求項１の可搬式工具用フックにおいて、前記規制部は、前記フックハンドル又は前記フック収納部に配設される操作子と、該操作子の移動に伴って、他方に係合する、もしくは離間させる係合片と、他方に該係合片が係合される被係合部を備える。
【０００８】
本発明の請求項３に係る可搬式工具用フックは、請求項１又は２の可搬式工具用フックにおいて、前記操作子と前記係合片とは一体的に構成されると共に、前記係合片を前記被係合部方向に付勢する弾性体を設けた。
【０００９】
本発明の請求項４に係る可搬式工具用フックは、請求項１ないし３の可搬式工具用フックにおいて、前記連結部は、前記収納部の両端面に形成した。
【００１０】
本発明の請求項５に係る可搬式工具用フックは、請求項１ないし４の可搬式工具用フックにおいて、前記連結部にハンドル回動範囲規制部を形成した。
【発明の効果】
【００１１】
本願の可搬式工具用フックにあっては、フック収納部の端面にフックハンドルを連結する部分が設けられた連結部と、該フックハンドルの回動を所定の角度で保持、又は解除する規制部等から構成し、フックハンドルを連結部を介してフック収納部に回動可能に包持したので、掛止用フックを大型化しないで、取付可能で掛止の操作性に優れ、フックハンドルを一旦ロックすると、規制部を操作して解除しない限り外れることなく、可搬式工具を作業者の装着した腰ベルト等の固定対象物に確実に保持できる。
【００１２】
請求項２に記載の可搬式工具用フックにあっては、フックハンドルを所定の位置に確実に維持できるので、より掛止の操作性に優れ、可搬式工具を作業者の装着した腰ベルト等の固定対象物に一層確実に保持できる。
【００１３】
請求項３に記載の可搬式工具用フックにあっては、フックハンドルを所定の位置に確実に維持できるので、落下の危険をなくすことができる。
【００１４】
請求項４に記載の可搬式工具用フックにあっては、前記連結部は、前記収納部の両端面に形成したので、ハンドルの向きを左右に変更できるので、左右どちらの側にも掛けやすくでき、操作性がよく、安全性を向上することができる。
【００１５】
請求項５に記載の可搬式工具用フックにあっては、前記連結部は、ハンドル回動範囲規制部を形成したので、フックハンドルを操作性がよくて確実に安全に掛け止めできる位置に回動させることができる。
【発明を実施するための最良の形態】
【００１６】
本願発明の可搬式工具用フックは、フックハンドルと、可搬式工具のハウジングに設けられたフック収納部と、該フック収納部の端面に前記フックハンドルを連結する部分が設けられた連結部と、該フックハンドルの回動を所定の角度で保持、又は解除する規制部とから構成し、前記フックハンドルを前記連結部を介してフック収納部に回動可能に包持するので、大型化しないで、取付可能で掛止の操作性に優れ、可搬式工具を作業者の装着した腰ベルト等の固定対象物に確実に保持できる。
【００１７】
以下、本発明の実施の形態について図面に基づいて詳細に説明する。図１ないし図４は本発明の可搬式工具用フックを示す図である。
【００１８】
図１は本発明の可搬式工具用フックを電動工具に使用する状態を示す分解斜視図、図２は電動工具のハウジングに可搬式工具用フックを取り付けたフックハンドルの回動状態を示す側面図、図３は図２のＡ−Ａ線に沿う断面図、図４は操作子部分の断面図である。
【００１９】
本発明の可搬式工具用フックは、駆動モータ等を収容する本体胴体部１ａとグリップ部１ｂが一体にされてなるハウジング１に設けられるフックであって、概略、フックハンドル２と、ハウジング１の端部に突出して設けられたフック収納部３と、フック収納部３の端面にフックハンドル２を連結する部分が設けられた連結部４と、フックハンドル２の回動を所定の角度で保持、又は解除する規制部５とから構成している。
【００２０】
ハウジング１は、外観がほぼ左右対称形をなし、樹脂から左右部分がそれぞれ一体成形により、本体部１ａ、グリップ部１ｂ、電池パック取付部１ｃが形成されている。
【００２１】
フックハンドル２は、掛止用アーム部６とこれとこれの一端から直角に延びた略円柱状の回転軸部７とで主体を構成している。更に回転軸部７は根元部８と中間部９と先端部１０とから構成し、中間部９は段部１１を境に根元部８より小径に形成し、先端部１０は段部１２を境に中間部９より小径に形成している。このフックハンドル２は後述するフック収納部３の貫通穴１７に嵌合し、その嵌合状態で回転軸部７を収容した貫通穴１７の軸を軸として回転可能となると共に、フックハンドル２を貫通穴１７に挿脱する際は軸方向で摺動させることが可能としている。
【００２２】
回転軸部７の根元部８は、フック収容部３の貫通穴１７とは隙間を少なくして軸のがたつきが少なくなるようにほぼ同一径に形成され、貫通穴１７に挿通されて回動可能に保持される。根元部８の周面に、回転規制リブ１３を掛止用アーム部６から軸方向に伸ばすと共に周外方向へ突出させて設けている。この回転規制リブ１３は、フック収納部３の貫通穴１７の内周部に凹設された回動案内凹部２０で回動自在にされているが、小径部に当接してフックハンドル２の回動範囲を制限する。回転軸部７の中間部９には段部１１から間隔を置いて歯車状に被係合部である回動規制部１４を設けている。この回動規制部１４の突出数を多く間隔を小さくすることで、フックハンドル２の回転角度を小さい間隔で調節できることになる。また、回転軸部７の先端部１０は金属ネジ１５をインサート成形しており、回転軸部７の先端からこの金属ネジ１５を一部突出させ、ナット又はストッパネジ当の抜け止め部材１６を螺着してフックハンドル２が抜け落ちないようにすると共にがたつき無く回動するようにしている。この抜け止め部材１６を固着する部材を、金属ネジ１５をインサート成形して先端部１０を形成することにより、フック部を小型化できるという利点がある。
【００２３】
フック収容部３は、ハウジング１の電池パック取付部１ｃの端部の背面側に後方（図１の紙面前方）へ突出して形成されている。フック収容部３は、両側方に開口した貫通穴１７を備えて概略円筒状をなし、そのほとんどの部分はハウジング１と同一の樹脂によって一体成形される。貫通穴１７は、その端面部にそれぞれ段部１８を設けて小径の小径部１９を形成し、この小径部１９の端面側の内周壁に回動範囲規制部２０を凹設し、連結部４を構成している。そして、回動範囲規制部２０の凹設されてない残りの周方向の小径部でハンドル回動範囲規制部２１を形成し、回動範囲規制部２０の間でフックハンドル２の回転規制リブ１３は回転摺動する。回動範囲規制部２０は小径部１９の軸方向の途中迄形成し、小径部１９でのフックハンドル２の根元部８をがたつき少なく支持することで、フックハンドル２の回動が円滑にできるようにしている。
【００２４】
貫通穴１７の中央部の大径部にフック収容部３の周壁を切り欠いて嵌合切欠２１が形成され、貫通穴１７の周壁に凹溝が２個所設けられて、案内溝２２が形成されている。そして、嵌合切欠２１部に規制部５が嵌合されると共に、案内溝２２に規制部５の所定の個所が嵌合される。この際、規制部５は軸方向に摺動可能で、案内溝２２の端部に規制されるまで摺動できようにしている。
【００２５】
規制部５は、操作子２３と係合片２４と弾性部材２５により構成している。操作子２３と係合片２４とは強固に一体的に形成されている。操作子２３は、規制部５を軸方向に摺動させる際に力を加える個所である。係合片２４は、回動規制部１４と噛み合って回転軸の回転を阻止してその状態で保持する部材である。そのため、係合片２４は回動規制部１４と噛み合うように内歯車状に凹凸を形成する凹溝２６が回動規制部１４と同一寸法、同一ピッチで形成している。また、係合片２４の外周には軸方向に凸条２７が設けられ、凸条２７が収容部３の案内溝２２に嵌合し、規制部５が案内溝２２に導かれて軸方向で摺動可能にされると共にフックハンドル２を固定した場合には規制部５が回転しないようにしている。弾性部材２５は、係合片２４を回転軸部７の中間部９の回動規制部１４に係合する位置でとどまるように付勢する部材である。弾性部材２５の圧縮方向に操作子２３に力を加えて摺動させると、係合片２４が弾性部材２５の付勢力に逆らって圧縮方向に移動して、係合片２４と回動規制部１４とは離間してその係合が解除され、フックハンドル２の回動が可能になる。フックハンドル２を所定の角度回転させて、操作子２３に加えた力を除くと、弾性部材２５により付勢された規制部５は案内溝２２の端部に当接して停止し、係合片２４の凹溝２６に回動規制部１４が係合した当初の状態となり、フックハンドル２が所定の角度回転した位置で固定される。弾性部材２５としては、コイルばね、ゴム、板ばね等を使用することができる。
【００２６】
そして、上記のようにして規制部５をフック収納部３に装着し、フックハンドル２を掛止用アーム６を挿通した状態（図２のＢ位置）で貫通穴１７に挿着し、抜け止め部材１６を螺着することにより、可搬式工具用フックを工具に装着する。この状態において、フック収納部３の段部１８と係合片２４の間には弾性部材２５が圧縮配設されている。これにより、規制部５は図２手前方向へ付勢され、凸条２７は案内溝２２の終端に当接して停止し、係止片２４の凹溝２６は回動規制部１４と噛み合って、フックハンドル２を回転しないように保持する。次いで、操作子２３を弾性部材２５の付勢力に逆らってこれを弾性部材２５を圧縮する方向（図２では紙面向こう側）に摺動させると、係合片２４と被係合部１４とは離間してその係合が外れ、フックハンドル２は回動可能になる。そこで、掛止用アーム６を図２のＣ方向に回動して操作子２３に加えている力を除くと、規制部５の弾性部材２５の付勢力により規制部５は摺動しては図２手前方向へ移動し、再び係止片２４の凹溝２６は回動規制部１４と噛み合って、フックハンドル２を回転しないように保持する。これによりフックハンドル２は図２のＣ位置に保持される。係合片２４には弾性部材２５により力が作用しているので、係合片２４は意図的に操作子２３を操作しない限り移動しない。従って、フックハンドル２は意図して操作しなければ動くことはない。
【００２７】
なお、フックハンドル２を図２の向こう側に掛止用アーム６を位置させて、手前側に挿通し、手前側で抜け止め部材１６を螺着することにより、可搬式工具用フックを工具に装着する場合についても、規制部の方向を変えることなく装着でき、上記した図２に示す場合と同様に操作し、使用することができる。また、上記説明では、規制部をフック収容部に配設した例を示したが、フック収容部に被係合部（回動規制部）を形成し、ハンドル側に係合片を設けるように構成してもよい。
【産業上の利用可能性】
【００２８】
本発明の可搬式工具用フックは、カッタ、ドリル、ドライバ、ハンマ、ディスクグラインダ等の電動工具や空気駆動工具等ほとんどの携帯用工具に適用することができる。
【図面の簡単な説明】
【００２９】
【図１】本発明の可搬式工具用フックを示す分解斜視図である。
【図２】本発明の可搬式工具用フックを取り付けた電動工具のフックハンドルの動作を示す側面図である。
【図３】図２のＡ−Ａ線に沿う断面図である。
【図４】本発明の可搬式工具用フックの規制部の断面図である。
【符号の説明】
【００３０】
１    ハウジング
１ａ  本体部
１ｂ  グリップ部
２    フックハンドル
３    フック収納部
４    連結部
５    規制部
１４    回動規制部（被係合部）
１７    貫通穴
２０    回動範囲規制部
２３    操作子
２４    係合片
２５    弾性部材
【図１】
2005040931.tif 000003
【図２】
2005040931.tif 000004
【図３】
2005040931.tif 000005
【図４】
2005040931.tif 000006